(57)【要約】【課題】パンツ（長ズボン）を着用してサンダルやミュールなどの踵が開放された履き物を履くとき、パンツの裾が、足の踵部分と履き物の踵の間に入り込むのを防止し、またパンツのシルエットラインを美しく保つことができるようにする。【解決手段】シート体２は、長ズボンの裾の裏側の、足の後部と対向する所定の領域を占める面積を有し、柔軟性及び弾性を有するシート素材からなる。このシート体２の一方の面には接着層１０が形成され、該接着層１０に脱着自在に剥離紙４が接着され、これらシート体２と接着層１０と剥離紙４とで裾用保形具１を構成する。剥離紙４をシート体２から取り去り、シート体２を長ズボンの裾の裏側に接着すると、該裾部分に張りが生じる。この張りにより、踵が開放された履き物を履いたとき、長ズボンの裾部分が足の踵部分と履き物との間に入り込まない。また、裾部分がひらひらすることがなくシルエットラインを美しく保つので、一般的な履き物を履くときにも使用できる。【選択図】  図1
2006002301.tif 000002
【特許請求の範囲】
【請求項１】
長ズボンの裾近傍の裏側に接着させて、該裾近傍部分に張りを持たせるようにした長ズボンの裾用の保形具であって、前記長ズボンの裾の裏側の、足の後部と対向する部分の所定の領域を占める面積を有し、柔軟性及び弾性を有するシート素材からなるシート体と、該シート体の一方の面に形成された接着層と、該接着層に脱着自在に接着された剥離紙とを備えたことを特徴とする長ズボンの裾用保形具。
【請求項２】
長ズボンの裾近傍の裏側に接着し、該裾近傍部分に張りを持たせて、踵が開放された履き物を履いたとき、前記長ズボンの裾部分が足の踵部分と履き物との間に入り込まないようにした長ズボンの裾用の保形具であって、前記長ズボンの裾近傍の裏側の、足の後部と対向する所定の領域を占める面積を有し、柔軟性及び弾性を有するシート素材からなるシート体と、該シート体の一方の面に形成された接着層と、該接着層に脱着自在に接着された剥離紙とを備えたことを特徴とする長ズボンの裾用保形具。
【請求項３】
前記シート体を合成樹脂シートにより構成したことを特徴とする請求項１又は請求項２に記載の長ズボンの裾用保形具。
【請求項４】
前記シート体に加圧可塑性を保有させ、該シート体に長ズボンの折り目に対応する折れ線を設け、該折れ線を基準として前記シート体を任意の角度に山折り状に屈折可能としたことを特徴とする請求項１又は請求項２に記載の長ズボンの裾用保形具。
【請求項５】
前記シート体を略三角形としたことを特徴とする請求項１又は請求項２に記載の長ズボンの裾用保形具。
【請求項６】
前記折れ線の両側に更にこれに平行に折れ線を設け、該折れ線を基準として前記シート体を前記長ズボンの裾のカーブに合わせて屈折可能としたことを特徴とする請求項１又は請求項２に記載の長ズボンの裾用保形具。
【請求項７】
前記シート体に、両面粘着シールの一方の粘着面を接着し、該両面粘着シールの他方の粘着面により、前記シート体の一方の面に前記接着層を形成したことを特徴とする請求項１又は請求項２に記載の長ズボンの裾用保形具。
【発明の詳細な説明】
【技術分野】
【０００１】
本発明は、長ズボンの裾部分に脱着自在に取り付けて使用する保形具に関する。
【背景技術】
【０００２】
パンタロンのように裾の広い長ズボンでは、歩行時、裾の近傍部分がひらひらと動いてしまい美しいシルエットを保つことができない。  
また、パンツ（長ズボン）を着用して、サンダルやミュールなどの、踵が解放された、即ち、靴のように踵が囲まれていない、履き物を履くとき、パンツの裾が、足の踵部分と履き物の踵との間に入り込み裾を踏んで不快感を感じ、歩き辛い。また見た目も美しくない。
この問題を解消するため、ゴム様に少し伸縮性のある、透明又は色彩やデザイン性のあるストラップをサンダルのバックバンド等に簡単に脱着できる踵用ストラップが知られている（例えば特許文献１参照）。
【特許文献１】特開２００４−６５８６９号公報
【発明の開示】
【発明が解決しようとする課題】
【０００３】
歩行時、裾がひらひらと動いてしまう長ズボンは見た目が見苦しいという問題点があった。また、サンダルなどの履き物のバックバンドに脱着できる踵用ストラップは、バックバンドにストラップを取り付けると、足とストラップとが接触し、歩きづらくなる。また、履き物にストラップを取り付けると外部から見えることがあり、見苦しくなるばかりか、長ズボンを着用しないときは、ストラップをいちいち取りはずさなければならないという問題点がある。
本発明は上記問題点を解決することを目的とする。
【課題を解決するための手段】
【０００４】
上記目的を達成するため本発明は、長ズボンの裾近傍の裏側に接着させて、該裾近傍部分に張りを持たせるようにした長ズボンの裾用の保形具であって、前記長ズボンの裾の裏側の、足の後部と対向する部分の所定の領域を占める面積を有し、柔軟性及び弾性を有するシート素材からなるシート体と、該シート体の一方の面に形成された接着層と、該接着層に脱着自在に接着された剥離紙とを備えたものである。
また本発明は、長ズボンの裾近傍の裏側に接着し、該裾近傍部分に張りを持たせて、踵が開放された履き物を履いたとき、前記長ズボンの裾部分が足の踵部分と履き物との間に入り込まないようにした長ズボンの裾用の保形具であって、前記長ズボンの裾近傍の裏側の、足の後部と対向する所定の領域を占める面積を有し、柔軟性及び弾性を有するシート素材からなるシート体と、該シート体の一方の面に形成された接着層と、該接着層に脱着自在に接着された剥離紙とを備えたものである。
また本発明は、前記シート体を合成樹脂シートにより構成したものである。
また本発明は、前記シート体に加圧可塑性を保有させ、該シート体に長ズボンの折り目に対応する折れ線を設け、該折れ線を基準として前記シート体を任意の角度に山折り状に屈折可能としたものである。
また本発明は、前記シート体を略三角形としたことを特徴とするものである。
また本発明は、前記折れ線の両側に更にこれに平行に折れ線を設け、該折れ線を基準として前記シート体を前記長ズボンの裾のカーブに合わせて屈折可能としたものである。
また本発明は、前記シート体に、両面粘着シールの一方の粘着面を接着し、該両面粘着シールの他方の粘着面により、前記シート体の一方の面に前記接着層を形成したものである。
【発明の効果】
【０００５】
本発明は、パンツ（長ズボン）の裾近傍のシルエットラインを美しく保つことができる。また、パンツを着用してサンダルやミュールなどの踵が開放された履き物を履くとき、パンツの裾が、足の踵部分と履き物の踵の間に入り込むのを防止できる。
【発明を実施するための最良の形態】
【０００６】
以下に本発明の実施の形態を添付した図面を参照して詳細に説明する。
図中、符号１は、本発明に係る長ズボンの裾用保形具であり、シート体２と、両面粘着シール３と、剥離紙４とから構成されている。前記シート体２は、柔軟性と弾性及び圧力可塑性を有する透明なプラスチック素材により構成されている。シート体２はボール紙等の腰のある厚紙を用いてもよい。
【０００７】
前記シート体２は、略三角形状を有し、その底辺部２ａは、パンツ（長ズボン）５の裾５ａの縁線に対して平行に合わせるために、直線状に形成され、該底辺部２ａの長さは、パンツの裾５ａの幅の略１／２（本実施形態では略１２〜１３ｃｍ）に設定されている。前記シート体２の頂部２ｂの底辺部２ａに対する高さは、略９〜１０ｃｍに設定されている。前記底辺部２ａは特に直線状でなくとも良く、波形その他任意の形状に設定することが可能である。
【０００８】
同様に、シート体２の両側辺部２ｃ，２ｄも、直線状、波形状その他任意の形状に形成することが可能である。シート体２の面積は、パンツ５の裾５ａの裏側の、足の後部が対面する所定の領域をカバーし、裾５ａ及びその近傍部分に張りを与えて、パンツの裾が、足の踵部分と履き物の踵との間に入り込まない程度の大きさであればよく、上記した寸法に特に限定されるものではない。
【０００９】
また、シート体２は、全体が三角形が望ましいが、特に三角形に限定されるものではない。シート体２の、その頂部２ｂを通り、底辺部２ａに直角な中心線上には、主折れ線７が形成され、シート体２を主折れ線７を基準として容易に手操作で任意の角度に屈折し得るように構成されている。前記シート体２の、主折れ線７の両側には、適宜の間隔を存して、前記主折れ線７と平行に、折れ線８，９が形成されている。
【００１０】
折れ線７，８，９は、圧力可塑性を有するシート体２を二つ折りにすることにより容易に形成することができる。前記シート体２の一方の面には、その略全域にわたって、あるいは、部分的に、両面粘着シール３の一方の粘着面が接着され、該粘着シール３の他方の粘着面は、シート体２の一方の面に粘着層１０を形成している。前記粘着層１０には、剥離紙４が脱着自在に接着されている。
【００１１】
上記した構成において、パンツ（長ズボン）５を着用して、サンダル又はミュールなどの足の後部が開放される履き物１１を履くときは、予め、シート体２から剥離紙４を取り去り、粘着層１０を露出させ、シート体２の底辺部２ａと、パンツ５の裾５ａの縁辺部とを合わせ、且つ、シート体２の主折れ線７を、パンツ５の折り目に合わせて、パンツ５の裾５ａ近傍部分の裏側の所定の領域に、シート体２を、粘着層１０を介して、図３（Ｂ）に示すように、接着させておく。
【００１２】
上記保形具１をパンツ５に貼り付けた状態において、パンツ５の裾近傍部分の裏側の、足の後部が位置する領域は、保形具１によって、ピンと張った状態となる。そのため、歩行時、パンツ５の裾５ａが足の踵部分と履き物１１の踵１１ａとの間に、図３（Ａ）に示すように、入り込むことがない。そのため、足の踵部分で、パンツの裾を踏み、不快感を感じたり、また、足でパンツを踏みつけ、パンツに不要な折れ線を形成することがない。
【００１３】
パンツ５の裾近傍部分の裏側に、保形具１を接着する際、パンツ５の折り目に合わせて、保形具１をその折れ線７を基準として、山折り状態とし、更に、パンツ５の裾近傍部分のカーブに合わせて、折れ線８，９を基準として、保形具１を屈折させ、パンツ５のカーブのラインに保形具１の形状を合わせる。
【００１４】
これにより、パンツの裾近傍部分が不自然に変形するのを防止することができ、また、パンツ５のシルエットラインを美しく保つことができる。シート体２は、圧力可塑性を有し、折れ線７，８，９を基準として、手操作により強く山折り方向に加圧すると、所望の屈折状態とすることが可能であり、シート体２は、この角度を保持する。
【００１５】
本発明は、ミュールなどの、足の後部が開放される履き物を履くときに特に限定されるものではなく、通常の履き物を履くときにも、長ズボンの裾部分のシルエットを美しくするために使用することができる。
【図面の簡単な説明】
【００１６】
【図１】本発明の説明的正面図である。
【図２】本発明の断面分解説明図である。
【図３】本発明の説明図である。
【符号の説明】
【００１７】
１      裾用保形具
２      シート体
３      両面粘着シール
４      剥離紙
５      パンツ
６      足
７      主折れ線
８      折れ線
９      折れ線
１０    粘着層
１１    履き物
【図１】
2006002301.tif 000003
【図２】
2006002301.tif 000004
【図３】
2006002301.tif 000005